(57)【要約】【課題】ガラスランの製造が容易で、ドアフレームに取付けが容易で、ドアフレームから外れ難い、ガラスランを提供する。【解決手段】ガラスラン１０は、直線部１１とコーナー部１２を有する。直線部は、車外側シールリップ２１及び車内側シールリップ３１又はそのそれぞれの付根部２２、３２がオレフィン系熱可塑性エラストマーで形成されるとともに、車外側側壁２０及び車内側側壁３０が底壁４０と連続する少なくとも一方の連結部２６、３６がオレフィン系熱可塑性エラストマーで形成される。連結部を除く、車外側側壁と、車内側側壁と、底壁は、ポリプロピレン樹脂で形成される。コーナー部は、全体がオレフィン系熱可塑性エラストマーで形成される。直線部は、上辺部では、自動車の前後方向に湾曲して取付けられ、縦辺部では、上下方向にドアフレームに沿って湾曲して取付けられた自動車用ガラスランである。【選択図】図１
2010052711.tif 000002
【特許請求の範囲】
【請求項１】
自動車ドアのドアフレームの内周に取付け、上記ドアフレームの上辺部と縦辺部に取付けられる直線部と、上記ドアフレームのコーナー部に取付けられるコーナー部を有し、ドアガラスの昇降を案内する自動車用ガラスランにおいて、
上記ガラスランの上記直線部の本体は、車外側側壁と、車内側側壁と、底壁とからなる断面略コ字形をなし、上記車外側側壁と車内側側壁には、それぞれ上記本体の断面略コ字状の本体内側に向かって延出する車外側シールリップと車内側シールリップを設け、該車外側シールリップと車内側シールリップにより上記ドアガラスの端部の車外側面及び車内側面をシールし、
上記車外側側壁及び車内側側壁とそれぞれ連続する上記車外側シールリップ及び車内側シールリップのそれぞれの付根部がオレフィン系熱可塑性エラストマーで形成されるとともに、上記車外側側壁及び車内側側壁が上記底壁と連続するそれぞれの連結部がオレフィン系熱可塑性エラストマーで形成され、
上記連結部を除く、上記車外側側壁と、車内側側壁と、底壁は、ポリプロピレン樹脂で形成され、
上記ガラスランの上記コーナー部は、全体がオレフィン系熱可塑性エラストマーで形成されたことを特徴とする自動車用ガラスラン。
【請求項２】
自動車ドアのドアフレームの内周に取付け、上記ドアフレームの上辺部と縦辺部に取付けられる直線部と、上記ドアフレームのコーナー部に取付けられるコーナー部を有し、ドアガラスの昇降を案内する自動車用ガラスランにおいて、
上記ガラスランの上記直線部の本体は、車外側側壁と、車内側側壁と、底壁とからなる断面略コ字形をなし、上記車外側側壁と車内側側壁には、それぞれ上記本体の断面略コ字状の本体内側に向かって延出する車外側シールリップと車内側シールリップを設け、該車外側シールリップと車内側シールリップにより上記ドアガラスの端部の車外側面及び車内側面をシールし、
上記車外側側壁及び車内側側壁とそれぞれ連続する上記車外側シールリップ及び車内側シールリップがオレフィン系熱可塑性エラストマーで形成され、
上記車外側側壁及び車内側側壁が上記底壁と連続するそれぞれの連結部がオレフィン系熱可塑性エラストマーで形成され、
上記連結部を除く、上記車外側側壁と、車内側側壁と、底壁は、ポリプロピレン樹脂で形成され、
上記ガラスランの上記コーナー部は、全体がオレフィン系熱可塑性エラストマーで形成され、
上記ガラスランの直線部は、上記ドアフレームの上辺部では、上記ガラスランが自動車の前後方向に上記ドアフレームに沿って湾曲して取付けられ、上記ドアフレームの縦辺部では、上記ガラスランが自動車の側面に沿って上下方向に上記ドアフレームに沿って湾曲して取付けられたことを特徴とする自動車用ガラスラン。
【請求項３】
上記車外側シールリップ及び車内側シールリップの少なくとも一方の付根部がポリプロピレン樹脂で形成された請求項２に記載の自動車用ガラスラン。
【請求項４】
上記ガラスランの直線部の本体の上記車外側側壁は、長手方向とは直角に間歇的に溝部を形成した請求項１乃至請求項３のいずれか１項に記載の自動車用ガラスラン。
【請求項５】
上記ガラスランの直線部の本体の上記車内側側壁は、長手方向とは直角に間歇的に溝部を形成した請求項１乃至請求項３のいずれか１項に記載の自動車用ガラスラン。
【請求項６】
上記ガラスランの直線部の本体は、上記ドアフレームの形状に沿って予め熱付形により湾曲して形成された請求項１乃至請求項３のいずれか１項に記載の自動車用ガラスラン。
【請求項７】
上記オレフィン系熱可塑性エラストマーは、架橋タイプオレフィン系熱可塑性エラストマー（ＴＰＶ）である請求項１乃至請求項６のいずれか１項に記載の自動車用ガラスラン。
【請求項８】
上記オレフィン系熱可塑性エラストマーは、ＩＲＨＤ硬度が６０°〜９０°であり、上記ポリプロピレン樹脂は、ショアＤ硬度が３０°〜５５°である請求項１乃至請求項７のいずれか１項に記載の自動車用ガラスラン。
【請求項９】
上記車外側側壁及び車内側側壁は、それぞれ先端から上記本体の断面略コ字状の本体外側に向かって延出する車外側カバーリップと車内側カバーリップを設けた請求項１乃至請求項８のいずれか１項に記載の自動車用ガラスラン。
【発明の詳細な説明】
【技術分野】
【０００１】
本発明は、自動車ドアのドアフレームの内周に取付け、ドアガラスの昇降を案内する、直線部と、コーナー部を有するガラスランに関するものである。
【背景技術】
【０００２】
図５に示すように、自動車のドア１のドアフレーム２の内周にドアガラス５の昇降を案内するガラスラン１１０が取付けられている。その従来のガラスラン１１０の全体を図４に示し、従来のガラスラン１１０がドアフレーム２の直線部に取付けた状態の断面図を図６と図７に示す。
【０００３】
従来、ガラスラン１１０は、図５に示すように、ドアフレーム２のチャンネル内に取付けられて、ドアガラス５の昇降を案内するとともにドアガラス５とドアフレーム２との間をシールしている。さらに、ガラスラン１１０は、図４に示すように、押出成形により成形された直線部１１１からなるドアフレーム２の上辺部と、同じく押出成形されたフロント側縦辺部及びリヤ側縦辺部を、型成形によってドアフレーム２のコーナー部２ｂの形状に合わせて形成されたコーナー部１１２で接続している。
【０００４】
なお、ドア１と車体との間のシールは、ドアパネルおよびドアフレーム２の外周に取付けられたドアウエザストリップ（図示せず）および／または車体の開口部のフランジに取付けられたオープニングトリムウエザストリップ（図示せず）によりなされている。
【０００５】
ガラスラン１１０の本体の直線部１１１は、図６に示すように、車外側側壁１２０と、車内側側壁１３０と、底壁１４０からなる断面略コ字状をなしている。車外側側壁１２０の先端付近から車外側シールリップ１２１が本体の断面略コ字状の内側に向けて延出するように設けられている。また、車内側側壁１３０にもその先端付近から車内側シールリップ１３１が断面略コ字状の内側に向けて延出するように設けられている（例えば、特許文献１参照。）。
【０００６】
ドアガラス５は、このガラスラン１１０の本体の断面略コ字状の内側を摺動するとともに、車外側シールリップ１２１と車内側シールリップ１３１によってドアガラス５の端部の両側面がシールされて保持されている。
このとき、図６に示すように、ドアガラス５の昇降時の摺動抵抗を減らすために、車外側シールリップ１２１と車内側シールリップ１３１の表面にそれぞれ低摺動部材１２２、１３２を形成するものがある。
【０００７】
さらに、ドアガラス５の昇降や振動により、車外側シールリップ１２１と車内側シールリップ１３１のシール力が低下しないように、車内側シールリップ１３１の肉厚を大きくしたり、車内側シールリップ１３１の裏面にスポンジ弾性補助部材１３３を形成したりするものがある。しかし、このようなガラスラン１１０は、シールリップの肉厚が増加したり、低摺動部材１２２、１３２のための手間とコストが増加したりしていた。
【０００８】
このため、図７に示すように、ドアガラス５の昇降時の摺動抵抗を減らして、ドアガラス５のスムースな昇降と異音の発生を防止するため、摺動部材を廃止して車外側シールリップ２２１と車内側シールリップ２３１を硬質材料で形成し、車外側側壁２２０と、車内側側壁２３０と、底壁２４０を軟質材料で形成するガラスラン２１０がある（例えば、特許文献２参照。）。
【０００９】
しかし、このように摺動部材を廃止しても、ガラスラン２１０の本体は、軟質材料であるソリッドゴム又は熱可塑性エラストマーであるため、本体の肉厚を減少させることはできなく、重量やコストを削減することも困難であった。
そこで、ガラスラン２１０の本体を合成樹脂で形成することも考えられるが、ガラスラン２１０の本体を合成樹脂で形成すると、ガラスラン２１０全体の剛性が増加する。
【００１０】
一方、ドアフレーム２は車体の形状に沿って、上辺部では前後方向の先端側が下方に下がり、中央部分が上方に位置するような上側に凸に湾曲し、縦辺部では車体の側面に沿って上下方向の先端が車内側に曲がり、中央部分が車外側に位置するような車外側に凸に湾曲している。この３次元的に湾曲したドアフレーム２に、合成樹脂で形成した剛性の高いガラスラン２１０を取付けることは難しく、ドアフレーム２から外れ易かった。
【特許文献１】特開２００１−２１９７４５号公報
【特許文献２】実開平５−９３９４０号公報
【発明の開示】
【発明が解決しようとする課題】
【００１１】
そこで、本発明は、ガラスランの製造が容易で、ドアフレームに取付けが容易で、ドアフレームから外れ難い、ガラスランを提供することを目的としている。
【課題を解決するための手段】
【００１２】
上記課題を解決するために請求項１の本発明は、自動車ドアのドアフレームの内周に取付け、ドアフレームの上辺部と縦辺部に取付けられる直線部と、ドアフレームのコーナー部に取付けられるコーナー部を有し、ドアガラスの昇降を案内する自動車用ガラスランにおいて、
ガラスランの直線部の本体は、車外側側壁と、車内側側壁と、底壁とからなる断面略コ字形をなし、車外側側壁と車内側側壁には、それぞれ本体の断面略コ字状の本体内側に向かって延出する車外側シールリップと車内側シールリップを設け、車外側シールリップと車内側シールリップによりドアガラスの端部の車外側面及び車内側面をシールし、
車外側側壁及び車内側側壁とそれぞれ連続する車外側シールリップ及び車内側シールリップのそれぞれの付根部がオレフィン系熱可塑性エラストマーで形成されるとともに、車外側側壁及び車内側側壁が底壁と連続するそれぞれの連結部がオレフィン系熱可塑性エラストマーで形成され、
連結部を除く、車外側側壁と、車内側側壁と、底壁は、ポリプロピレン樹脂で形成され、
ガラスランのコーナー部は、全体がオレフィン系熱可塑性エラストマーで形成されたことを特徴とする自動車用ガラスランである。
【００１３】
請求項１の本発明では、ガラスランの直線部の本体は、車外側側壁と、車内側側壁と、底壁とからなる断面略コ字形をなし、車外側側壁と車内側側壁には、それぞれ本体の断面略コ字状の本体内側に向かって延出する車外側シールリップと車内側シールリップを設け、車外側シールリップと車内側シールリップによりドアガラスの端部の車外側面及び車内側面をシールしている。このため、車外側シールリップと車内側シールリップとで、ドアガラスを保持するとともに、ドアフレームとドアガラスの間をシールすることができる。
【００１４】
車外側側壁及び車内側側壁とそれぞれ連続する車外側シールリップ及び車内側シールリップのそれぞれの付根部がオレフィン系熱可塑性エラストマーで形成されている。このため、車外側シールリップ及び車内側シールリップをポリプロピレン樹脂で形成しても、ドアガラスが昇降するときに、車外側シールリップと車内側シールリップのそれぞれの付根部分が柔軟に撓んで、車外側シールリップと車内側シールリップがドアガラスに当接し、シール性を確保することができるとともに、異音の発生を防止できる。
【００１５】
車外側側壁及び車内側側壁が底壁と連続するそれぞれの連結部がオレフィン系熱可塑性エラストマーで形成される。このため、ガラスランをドアフレームに装着するときに、車外側側壁と車内側側壁が内側方向に撓むことができ、装着が容易である。また、ガラスランを製造するときに、車外側側壁と車内側側壁をハ字形に開いて形成することができ、車外側シールリップと車内側シールリップが製造時に接触することがなく、製造が容易である。
【００１６】
連結部を除く、車外側側壁と、車内側側壁と、底壁は、ポリプロピレン樹脂で形成されたため、車外側側壁と、車内側側壁及び底壁の肉厚を薄く形成しても、ガラスランの本体の強度を維持することができ、ドアガラスが昇降しても、ドアガラスを保持し、シール性を確保することができる。肉厚を薄く形成するため、ガラスランの重量を低減することができ、製造コストも大幅に低減することができる。
【００１７】
ガラスランのコーナー部は、全体がオレフィン系熱可塑性エラストマーで形成されているため、ポリプロピレン樹脂でガラスランの本体が形成された直線部を有していても、ドアフレームのコーナー部に容易に装着できると共に、コーナー部を成形するときにガラスランの直線部とコーナー部を熱溶着で強固に接続できる。
【００１８】
請求項２の本発明は、自動車ドアのドアフレームの内周に取付け、ドアフレームの上辺部と縦辺部に取付けられる直線部と、ドアフレームのコーナー部に取付けられるコーナー部を有し、ドアガラスの昇降を案内する自動車用ガラスランにおいて、
ガラスランの直線部の本体は、車外側側壁と、車内側側壁と、底壁とからなる断面略コ字形をなし、車外側側壁と車内側側壁には、それぞれ本体の断面略コ字状の本体内側に向かって延出する車外側シールリップと車内側シールリップを設け、車外側シールリップと車内側シールリップによりドアガラスの端部の車外側面及び車内側面をシールし、
車外側側壁及び車内側側壁とそれぞれ連続する車外側シールリップ及び車内側シールリップがオレフィン系熱可塑性エラストマーで形成され、
車外側側壁及び車内側側壁が底壁と連続するそれぞれの連結部がオレフィン系熱可塑性エラストマーで形成され、
連結部を除く、車外側側壁と、車内側側壁と、底壁は、ポリプロピレン樹脂で形成され、
ガラスランのコーナー部は、全体がオレフィン系熱可塑性エラストマーで形成され、
ガラスランの直線部は、ドアフレームの上辺部では、ガラスランが自動車の前後方向にドアフレームに沿って湾曲して取付けられ、ドアフレームの縦辺部では、ガラスランが自動車の側面に沿って上下方向にドアフレームに沿って湾曲して取付けられたことを特徴とする自動車用ガラスランである。
【００１９】
請求項２の本発明では、車外側側壁及び車内側側壁とそれぞれ連続する車外側シールリップ及び車内側シールリップがオレフィン系熱可塑性エラストマーで形成されているため、車外側シールリップと車内側シールリップの柔軟性を向上させることができ、高速走行時のドアガラスの車外方向への吸出しや、振動においても、確実にシール性を確保できる。
【００２０】
ガラスランの直線部は、ドアフレームの上辺部では、ガラスランが自動車の前後方向にドアフレームに沿って湾曲して取付けられ、ドアフレームの縦辺部では、ガラスランが自動車の側面に沿って上下方向にドアフレームに沿って湾曲して取付けられた。このため、ガラスランの直線部の本体をポリプロピレン樹脂で形成しても、ドアフレームの形状に沿って、ガラスランを取付けることができ、取付が容易であり、ドアフレームからガラスランが外れることがない。
【００２１】
請求項３の本発明は、車外側シールリップ及び車内側シールリップの少なくとも一方の付根部がポリプロピレン樹脂で形成された自動車用ガラスランである。
【００２２】
請求項３の本発明は、車外側シールリップ及び車内側シールリップの少なくとも一方の付根部がポリプロピレン樹脂で形成されたため、車外側シールリップ又は車内側シールリップの異常変形を防止して、シール製を確保することができる。
【００２３】
請求項４の本発明は、ガラスランの直線部の本体の車外側側壁は、長手方向とは直角に間歇的に溝部を形成した自動車用ガラスランである。
【００２４】
請求項４の本発明では、ガラスランの直線部の本体の車外側側壁は、長手方向とは直角に間歇的に溝部を形成したため、ガラスランの直線部の本体の柔軟性が向上し、ガラスランを取付けるときにガラスランが容易にドアフレームに沿って湾曲することができ、取付が容易であり、ドアフレームからガラスランが外れることがない。
【００２５】
請求項５の本発明は、ガラスランの直線部の本体の車内側側壁は、長手方向とは直角に間歇的に溝部を形成した自動車用ガラスランである。
【００２６】
請求項５の本発明では、ガラスランの直線部の本体の車内側側壁は、長手方向とは直角に間歇的に溝部を形成したため、ガラスランの直線部の本体の柔軟性が向上し、ガラスランを取付けるときにガラスランが容易にドアフレームに沿って湾曲することができ、取付が容易であり、ドアフレームからガラスランが外れることがない。車外側側壁と車内側側壁の両方に溝部を形成すれば、一層ガラスランの直線部の本体の柔軟性を向上させることができ、ドアフレームに沿って湾曲して取付けることができる。
【００２７】
請求項６の本発明は、ガラスランの直線部の本体は、ドアフレームの形状に沿って予め熱付形により湾曲して形成された自動車用ガラスランである。
【００２８】
請求項６の本発明では、ガラスランの直線部の本体は、ドアフレームの形状に沿って予め熱付形により湾曲して形成されたため、ガラスランの本体に応力がかかることがなく、ガラスランを容易に取付けることができ、ドアフレームからガラスランが外れることがない。
【００２９】
請求項７の本発明は、オレフィン系熱可塑性エラストマーは、架橋タイプオレフィン系熱可塑性エラストマー（ＴＰＶ）である自動車用ガラスランである。
【００３０】
請求項７の本発明では、オレフィン系熱可塑性エラストマーは、架橋タイプオレフィン系熱可塑性エラストマー（ＴＰＶ）であるため、柔軟性と弾性がより大きく、車外側シールリップと車内側シールリップが撓みやすくなり、ドアガラスの保持とシール性を向上させることができる。
【００３１】
請求項８の本発明は、オレフィン系熱可塑性エラストマーは、ＩＲＨＤ硬度が６０°〜９０°であり、ポリプロピレン樹脂は、ショアＤ硬度が３０°〜５５°である自動車用ガラスランである。
【００３２】
請求項８の本発明では、オレフィン系熱可塑性エラストマーは、ＩＲＨＤ硬度が６０°〜９０°であるため、柔軟性に富み、車外側シールリップ付根部と車内側シールリップ付根部において、車外側シールリップと車内側シールリップが撓みやすく、車外側側壁連結部と車内側側壁連結部において、車外側側壁と車内側側壁を確実に撓ませることができる。
６０°未満であると剛性が小さすぎてシール性が低下し、９０°を越えると剛性が大きすぎてガラス摺動性が低下する。
ドアフレームに沿ってポリプロピレン樹脂は、ショアＤ硬度が３０°〜５５°であるため、充分な強度を有して、車外側側壁と車内側側壁の強度を確保し、車外側シールリップと車内側シールリップを保持して、確実にドアガラスに当接させることができる。
３０°よりも低いと剛性が不足で薄肉化による軽量化の効果が小さくなってしまい、５５°よりも高いと剛性が大きすぎて湾曲加工性が低下する。
【００３３】
請求項９の本発明は、車外側側壁及び車内側側壁は、それぞれ先端から本体の断面略コ字状の本体外側に向かって延出する車外側カバーリップと車内側カバーリップを設けた自動車用ガラスランである。
【００３４】
請求項９の本発明では、車外側側壁及び車内側側壁は、それぞれ先端から、本体の断面略コ字状の本体外側に向かって延出する車外側カバーリップと車内側カバーリップを設けた。このため、ドアフレームやチャンネルの側端を車外側カバーリップと車内側カバーリップで覆うことができ、見栄えを良くするとともに、それぞれ車外側カバーリップと車外側側壁、及び車内側カバーリップと車内側側壁とで、ドアフレームやチャンネルを挟持することができる。
【発明の効果】
【００３５】
連結部を除く、車外側側壁と、車内側側壁と、底壁は、ポリプロピレン樹脂で形成されたため、車外側側壁と、車内側側壁及び底壁の肉厚を薄く形成でき、ガラスランの本体の強度を維持し、シール性を確保することができ、ガラスランの重量を低減することができる。
ガラスランの直線部は、ドアフレームの上辺部では、ガラスランが自動車の前後方向にドアフレームに沿って湾曲して取付けられ、ドアフレームの縦辺部では、ガラスランが自動車の側面に沿って上下方向にドアフレームに沿って湾曲して取付けられたため、ドアフレームの形状に沿って、ガラスランを取付けることができ、取付が容易であり、ドアフレームからガラスランが外れることがない。
【発明を実施するための最良の形態】
【００３６】
本発明の実施の形態を、図１〜図５に基づき説明する。
図５は、自動車のフロントのドア１の正面図であり、図４は、ドア１のドアフレーム２に取付けるフロントドアのガラスラン１０の正面図である。図５に示すように、ドア１の上部にはドアフレーム２が設けられ、ドアガラス５が昇降自在に取付けられる。すなわち、ドアフレーム２の内周には、ガラスラン１０が取付けられ、ドアガラス５の昇降を案内するとともに、ドアガラス５とドアフレーム２との間をシールしている。
【００３７】
ガラスラン１０は、図４に示すように、全体として押出成形で形成された直線部１１と、ドアフレーム２のコーナー部２ｂに取付けられ、上記の直線部１１を接続し、型成形で形成されるコーナー部１２からなる。
直線部１１は、ドアフレーム２の上辺部に取付けられる部分と、ドアフレーム２のリヤ側縦辺部に取付けられる部分と、ドアフレーム２のフロント側縦辺部をなすディビジョンサッシュに取付けられる部分とからなる。直線部１１は、後述するように、ドアフレーム２に取付けられるときに、ドアフレーム２に沿って湾曲して取付けられるか、又は、予めドアフレーム２の形状に合わせて湾曲するように形成される。
【００３８】
これらの押出成形部分をドアフレーム２に対応した形状となるように、フロント側とリヤ側のそれぞれのコーナー部分において、型成形により成形して直線部１１を接続してコーナー部１２が形成されている。なお、ガラスラン１０のコーナー部１２は、ドアフレーム２のコーナー部２ｂの部分に装着される。
【００３９】
以下に、フロント側のドア１の上辺部とリヤ側縦辺部に装着されるガラスラン１０を例に取り説明する。
図１は、本発明の実施の形態であるガラスラン１０のリヤ側の縦辺部の図５のＡ−Ａ線に沿った断面図であり、図２は、本発明の実施の形態であるガラスラン１０のリヤ側の上辺部の図５のＢ−Ｂ線に沿った断面図である。
まず、縦辺部の実施の形態について説明し、その後、上辺部の実施の形態について説明する。
【００４０】
ドアフレーム２の縦辺部に取付けられるガラスラン１０の直線部１１の断面形状は、図１に示すように、本体が車外側側壁２０と、車内側側壁３０と、底壁４０とから断面略コ字状に形成されている。後述のように、車内側側壁３０が車外側側壁２０よりも大きく形成され、断面略コ字形は、車内側が大きな非対称形に形成されている。
ガラスラン１０の本体は、ドアフレーム２の上辺部に取付けられる部分も縦辺部に取付けられる部分も基本的には、ほぼ同様な断面略コ字形の断面形状を有しているが、上辺部に取り付けるものは、後述する。
【００４１】
ガラスラン１０の車外側側壁２０は、断面略板状に形成される。
車外側側壁２０の先端付近から車外側シールリップ２１が、上記本体の断面略コ字状の内側に向けて延設されている。また、車外側カバーリップ２３が車外側側壁２０の先端から車外方向に延設されている。車外側カバーリップ２３は、ガラスラン１０が装着されるチャンネル３の車外側側壁とアウターパネル２ｃの先端が接合されたフランジ部分をカバーしている。チャンネル３は、断面略コ字状の部分を形成し、その内にガラスラン１０を保持している。
【００４２】
上述のように、車外側側壁２０の内側には、車外側シールリップ２１がガラスラン１０の本体の内側に向けて斜めに延設されている。
ドアガラス５が昇降して、ドアガラス５の側端がガラスラン１０の本体の縦辺部の内部を摺動したときに、ドアガラス５の側端の車内側と車外側の両面に、この車外側シールリップ２１と、後述する車内側シールリップ３１が弾力的に当接して、ドアガラス５の側端とドアフレーム２の間をシールする。
【００４３】
上記車外側側壁２０と車外側シールリップ２１は、ポリプロピレン樹脂で形成する。
車外側側壁２０と車外側シールリップ２１は、ポリプロピレン樹脂で形成されたため、その肉厚を薄く形成しても、ガラスラン１０の本体の強度を維持することができ、ドアガラス５が昇降しても、ドアガラス５を保持し、シール性を確保することができる。さらに、車外側側壁２０と車外側シールリップ２１の肉厚を薄く形成するため、ガラスラン１０の全体の重量を低減することができ、製造コストも大幅に低減することができる。
従来、車外側側壁２０をソリッドゴム又は熱可塑性エラストマーで形成すると、肉厚が３ｍｍ程度必要であったが、ポリプロピレン樹脂で形成するとその肉厚は、２ｍｍ程度にすることができる。
【００４４】
ポリプロピレン樹脂は、強度が大きく、経時変化も少ないため、長期間劣化せず、ガラスラン１０のシール性を保持できる。後述するように、車外側シールリップ付根部２２にオレフィン系熱可塑性エラストマーを使用するため、ポリプロピレン樹脂とオレフィン系熱可塑性エラストマーの接着性も良く、リサイクル利用も容易である。
【００４５】
ポリプロピレン樹脂としては、ショアＤ硬度が４０°のものが適用されている。このため、車外側側壁２０と車外側シールリップ２１の充分な強度を有して、車外側側壁２０の強度を確保し、車外側シールリップ２１を保持して、確実にドアガラス５に当接させることができる。車外側シールリップ２１もドアガラス５が当接し、摺動しても、変形することなく、シール性を確保することができる。なお、ショアＤ硬度が３０°よりも低いと剛性が不足で、による軽量化の効果が小さくなってしまい、ショアＤ硬度が５５°よりも高いと剛性が大きすぎて湾曲加工性が低下する。
【００４６】
車外側シールリップ２１のドアガラス５と当接する表面、即ちガラスラン１０の本体の開口側の面に、長手方向に連続する車外側シールリップ突条部２５を形成してもよい。車外側シールリップ突条部２５は、低摺動材層で形成、またはシリコン樹脂を塗布して形成することができる。この場合は、車外側シールリップ２１が硬質樹脂で形成されていても、さらに、ドアガラス５が昇降して、ガラスラン１０を摺動するときにドアガラス５と、ガラスラン１０との摩擦が少なくなり、摺動抵抗を減少させることができ、異音の発生を防止し、スムースな昇降を確保することができる。
【００４７】
車外側側壁２０と連続する車外側シールリップ２１の付根部分である車外側シールリップ付根部２２は、オレフィン系熱可塑性エラストマーで形成されている。このため、車外側シールリップ２１を硬質合成樹脂で形成しても、ドアガラス５が昇降するときに、ドアガラス５の位置が移動しても、車外側シールリップ２１の車外側シールリップ付根部２２が柔軟に撓んで、車外側シールリップ２１がドアガラス５に当接し、シール性を確保することができるとともに、異音の発生を防止できる。
【００４８】
オレフィン系熱可塑性エラストマーとしては、ＩＲＨＤ硬度が７０°である材料が適用されている。このため、充分な柔軟性を有し、車外側シールリップ２１を確実に撓ませることができる。なお、ＩＲＨＤ硬度が６０°未満であると剛性が小さすぎてシール性が低下し、ＩＲＨＤ硬度が９０°を越えると剛性が大きすぎてガラス摺動性が低下する。
このオレフィン系熱可塑性エラストマーは、架橋タイプオレフィン系熱可塑性エラストマー（ＴＰＶ）を使用することが好ましい。この場合は、柔軟性と弾性がより大きく、車外側シールリップが撓みやすくなり、ドアガラスの保持とシール性を向上させることができる。
【００４９】
車外側側壁２０が底壁４０と連続する部分である車外側側壁連結部２６もオレフィン系熱可塑性エラストマーで形成される。このため、ガラスラン１０をドアフレーム２に装着するときに、車外側側壁２０がチャンネル３の内部にはめ込まれるように、内側方向に撓むことができ、装着が容易である。また、ガラスラン１０を製造するときに、車外側側壁２０と車内側側壁３０をハ字形に開いて形成することができ、車外側シールリップ２１と車内側シールリップ３１の先端同士が製造時に接触することがなく、車外側シールリップ２１と車内側シールリップ３１の表面処理も容易であり、製造が容易である。
【００５０】
ガラスラン１０の直線部１１の車外側側壁２０の外面には、図３に示すように、長手方向とは直角に間歇的に溝部２７が形成されている。溝部２７は、間歇的に並んで多数形成することが好ましい。
溝部２７を形成すると、車外側側壁２０の肉厚がその部分で減少し、ガラスラン１０の直線部１１の本体をポリプロピレンで形成しても、その柔軟性が向上し、ガラスラン１０をドアフレーム２に取付けるときにガラスラン１０がドアフレーム２の形状に沿って、容易に湾曲することができ、取付が容易であり、ドアフレーム２からガラスラン１０が外れることがない。
【００５１】
即ち、ガラスラン１０の直線部１１は、ドアフレーム２の上辺部では、ガラスラン１０が自動車の前後方向にドアフレーム２に沿って前後方向の先端側が下方に下がり、中央部分が上方に位置するような上側に凸に湾曲して取付けられ、ドアフレーム２の縦辺部では、ガラスラン１０が自動車側面の上下方向にドアフレーム２に沿って上下方向の先端が車内側に曲がり、中央部分が車外側に位置するように車外側に凸に湾曲して取付けられている。このため、ドアフレーム２の形状に沿って、ガラスラン１０を取付けることができ、取付が容易であり、ドアフレーム２からガラスラン１０が外れることがない。
【００５２】
ガラスラン１０の直線部１１の本体をドアフレーム２の形状に沿って予め熱付形により湾曲して形成することができる。この場合には、ガラスラン１０の本体に応力がかかることがなく、ガラスラン１０を容易に取付けることができ、ドアフレーム２からガラスラン１０が外れることがない。
【００５３】
車外側側壁２０の内側面には、長手方向に連続する車外側側壁突条部２４が形成されている。このため、ドアガラス５が昇降時にドアガラス５の湾曲や、走行時の負圧により車外側に移動したり、撓んで、強く車外側シールリップ２１に押付けられたりしても、ドアガラス５が、車外側側壁２０に密着することなく、車外側側壁２０のシール性を確保し、異音の発生を防止できる。
【００５４】
底壁４０は、図１に示すように、裏面が凹んだ底壁裏面凹部４２を有しても、略板状に形成しても良い。底壁裏面凹部４２を形成すると、さらにガラスラン１０を軽量化することができる。
底壁４０のガラスラン１０の本体の断面略コ字形の内面には、底壁溝部４１が形成されている。底壁溝部４１の代わりに、底壁低摺動部材層を形成しても良い。この場合は、ドアガラス５の側端との摺動抵抗を減少させることができる。
【００５５】
底壁４０の底面に、ドアフレーム又はチャンネルに当接する底壁シールリップ４４を形成することができる。底壁シールリップ４４を形成すると、ドアガラス５と、ドアフレーム２又はチャンネル３との間のシール性を確保できる。
また、底壁４０の底面から横方向に底壁保持リップ４３を形成することもできる。この場合は、シール性を確保できるとともに、ガラスラン１０をドアフレーム２又はチャンネル３内に保持することができる。
【００５６】
ガラスラン１０の車内側側壁３０は、車外側側壁２０と同様に、断面略板状に形成される。車内側側壁３０は、車外側側壁２０よりも大きく形成されている。車内側側壁３０は、車外側側壁２０よりも大きく形成されたため、ガラスラン１０をチャンネル３内に確実に保持し、ドアガラス５を確実に保持できるとともに、ドアガラス５を車外方向に位置させることができ、ドアガラス５とドアフレーム２との間の段差を小さくすることができ、風切り音を小さくして、見栄えを良くすることができる。
【００５７】
ガラスラン１０の直線部１１の車内側側壁３０は、車外側側壁２０と同様に、長手方向とは直角に間歇的に溝部を形成してもよい。溝部は、間歇的に並んで多数形成することが好ましい。
溝部を形成すると、車内側側壁３０の肉厚がその部分で減少し、車外側側壁２０の溝部２７と合わせて、ガラスラン１０の直線部１１の本体の柔軟性がより一層向上し、ガラスラン１０をドアフレーム２に取付けるときにガラスラン１０がドアフレーム２の形状に沿って、容易に湾曲することができ、取付が容易であり、ドアフレーム２からガラスラン１０が外れることがない。
【００５８】
車外側側壁２０と同様に、車内側側壁３０の先端付近から車内側シールリップ３１が、上記本体の断面略コ字状の内側に向けて延設されている。また、車内側カバーリップ３３が車内側側壁３０の先端から車外方向に延設されている。車内側カバーリップ３３は、ガラスラン１０が装着されるチャンネル３の車内側側壁とドアインナーパネル２ｄの先端が接合されたフランジ部分をカバーしている。
【００５９】
車外側シールリップ２１と同様に、車内側側壁３０の内側には、車内側シールリップ３１がガラスラン１０の本体の内側に向けて斜めに延設され、ドアガラス５の先端とドアフレーム２の間をシールする。
車内側シールリップ３１のドアガラス５と当接する表面に、低摺動部材である車内側シールリップ表皮層３５を形成してもよい。車内側シールリップ表皮層３５の代わりに、突条部を形成することができる。
【００６０】
上記車内側側壁３０と車内側シールリップ３１は、車外側側壁２０と車外側シールリップ２１と同様に、ポリプロピレン樹脂で形成する。このため、その肉厚を２ｍｍ程度にすることができ、その肉厚を薄く形成しても、ガラスラン１０の本体の強度を維持することができ、ドアガラス５が昇降しても、ドアガラス５を保持し、シール性を確保することができる。さらに、ガラスラン１０の全体の重量を低減することができ、製造コストも大幅に低減することができる。
【００６１】
車内側側壁３０と連続する車内側シールリップ３１の付根部分である車内側シールリップ付根部３２は、車外側シールリップ付根部２２と同様に、オレフィン系熱可塑性エラストマーで形成されている。このため、車内側シールリップ３１をポリプロピレン樹脂で形成しても、ドアガラス５が昇降するときに、車内側シールリップ３１の車内側シールリップ付根部３２が柔軟に撓んで、車内側シールリップ３１がドアガラス５に当接し、シール性を確保することができとともに、異音の発生を防止できる。
オレフィン系熱可塑性エラストマーは、車外側側壁連結部２６と同じ材料を使用する。
【００６２】
車内側側壁３０が底壁４０と連続する部分である車内側側壁連結部３６もオレフィン系熱可塑性エラストマーで形成される。このため、ガラスラン１０をドアフレーム２に装着するときに、車内側側壁３０がチャンネル３の内部にはめ込まれるように、内側方向に撓むことができ、装着が容易である。また、ガラスラン１０を製造するときに、車外側側壁２０と車内側側壁３０をハ字形に開いて形成することができ、車内側シールリップ３１と車内側シールリップ３１の先端同士が製造時に接触することがなく、車内側シールリップ３１の表面処理も容易であり、製造が容易である。
【００６３】
車内側側壁３０の内側面には、車内側側壁補助リップ３４が車内側シールリップ３１の裏面に当接するように、斜め上方に形成されている。このため、ドアガラス５が昇降して、ガラスラン１０を摺動するときに、車内側シールリップ３１を押し上げて、ドアガラス５が車外方向に位置するようにすることができる。これにより、ドアガラス５の振動を防止するとともに、ドアガラス５とドアフレーム２の段差を小さくして、異音や風切音の防止をすることができる。
【００６４】
さらに、車内側側壁３０の外面に、車内側側壁保持リップ３７と車内側側壁突条部３８を形成することができる。この場合、ガラスラン１０をチャンネル３に装着したときに、車内側側壁３０をチャンネル３内に挿入しやすくするとともに、車内側側壁３０を保持して、チャンネル３と車内側側壁３０との間のシール性を確保することができる。
【００６５】
次に、図２に基づき本発明の上辺部の実施の形態について説明する。図２は、本発明の上辺部の実施の形態であるガラスラン１０のリヤ側の上辺部における図５のＢ−Ｂ線に沿った断面図である。
この実施の形態は、車外側シールリップ２１と車内側シールリップ３１の形状が主に異なり、他の部分はリップ等を除き同じである。このため、異なる部分について説明し、同じ部分の説明を省略する。
【００６６】
上辺部の実施の形態では、車外側シールリップ２１と車外側シールリップ付根部２２は一体的に、全てオレフィン系熱可塑性エラストマーで形成され、車内側シールリップ３１は、車内側シールリップ付根部３２を除き全てオレフィン系熱可塑性エラストマーで形成される。このため、車外側シールリップ２１と車内側シールリップ３１の柔軟性を向上させることができ、ドアガラス５が上昇して、ガラスラン１０の本体内に進入しても、柔軟に受け入れて、ドアガラス５との追従性がよく、高速走行時のドアガラス５の車外方向への吸出しや、振動においても、確実にシール性を確保できる。
車内側シールリップ付根部３２は、車内側側壁３０と同じポリプロピレン樹脂で形成すると、車外側シールリップ２１と比べて形状の大きな車内側シールリップ３１の形状を保持して、ドアガラス５に当接させることができ、シール性を確保できる。また、車内側シールリップ３１の大部分はオレフィン系熱可塑性エラストマーで形成されるため、柔軟性を確保することができる。
この場合においても、車外側シールリップ２１と車内側シールリップ３１の表面に低摺動部材層を設けることが好ましい。
【００６７】
また、底壁４０も肉厚が薄く形成されている。ドアフレーム２にはチャンネル３がなく、ガラスラン１０の車外側側壁２０と車外側カバーリップ２３でアウターパネル２ｃの先端を保持し、車内側側壁３０と車内側カバーリップ３３でインナーパネル２ｄの先端を保持している。
【００６８】
ガラスラン１０の上辺部においても、直線部１１の車外側側壁２０の外面には、長手方向とは直角に間歇的に溝部２７が形成されている。溝部２７は、間歇的に並んで多数形成することが好ましい。また同様に、車内側側壁３０の外面においても同様に溝部を形成することが好ましい。
【００６９】
溝部２７を形成すると、車外側側壁２０及び車内側側壁３０の肉厚がその部分で減少し、ガラスラン１０の直線部１１の本体の柔軟性が向上し、ガラスラン１０をドアフレーム２に取付けるときにガラスラン１０がドアフレーム２の形状に沿って、容易に湾曲することができ、取付が容易であり、ドアフレーム２からガラスラン１０が外れることがない。
【００７０】
車外側側壁２０が底壁４０と連続する部分である車外側側壁連結部２６もオレフィン系熱可塑性エラストマーで形成される。このため、ガラスラン１０をドアフレーム２に装着するときに、車外側側壁２０がチャンネル３の内部にはめ込まれるように、内側方向に撓むことができ、装着が容易である。
【００７１】
また、車内側側壁３０が底壁４０と連続する部分である車内側側壁連結部３６もオレフィン系熱可塑性エラストマーで形成される。このため、ガラスラン１０をドアフレーム２に装着するときに、車内側側壁３０がチャンネル３の内部にはめ込まれるように、内側方向に撓むことができ、装着が容易である。
【図面の簡単な説明】
【００７２】
【図１】本発明の実施の形態であるガラスランを縦辺部に装着した状態の断面図であり、図５におけるＡ−Ａに沿った断面図である。
【図２】本発明の実施の形態であるガラスランを上辺部に装着した状態の断面図であり、図５におけるＢ−Ｂに沿った断面図である。
【図３】本発明の実施の形態であるガラスランを縦辺部に装着した状態の斜視図である。
【図４】本発明の実施の形態であるガラスランの正面図である。
【図５】自動車ドアの正面図である。
【図６】従来のガラスランを上辺部に装着した状態の断面図である。
【図７】従来の他のガラスランを上辺部に装着した状態の斜視図である。
【符号の説明】
【００７３】
２  ドアフレーム
１０  ガラスラン
２０  車外側側壁
２１  車外側シールリップ
２２  車外側シールリップ付根部
２６  車外側側壁連結部
２７  溝部
３０  車内側側壁
３１  車内側シールリップ
３２  車内側シールリップ付根部
３６  車内側側壁連結部
４０  底壁
【図１】
2010052711.tif 000003
【図２】
2010052711.tif 000004
【図３】
2010052711.tif 000005
【図４】
2010052711.tif 000006
【図５】
2010052711.tif 000007
【図６】
2010052711.tif 000008
【図７】
2010052711.tif 000009